(57)【特許請求の範囲】
【請求項１】
特殊処理が施された合成樹脂シートであって、顔料と水溶性樹脂とを含有する塗料により前記特殊処理の内容の説明又は／及びその機能の説明又は／及びシートを裁断する際にその長さを把握するための目盛り又は／及び在庫管理のためのシート長さの残量が表示されるとともに、前記表示は水拭きにより拭き取り可能としたことを特徴とする表示が除去可能な合成樹脂シート。
【発明の詳細な説明】
【０００１】
【発明の属する技術分野】
この発明は、表面に特殊処理が施され表示が除去可能な合成樹脂シートに関するものである。
【０００２】
【従来の技術】
従来より、特殊処理（紫外線硬化型樹脂の塗工処理やフッ素樹脂の塗工処理、フッ素フィルムのラミネート処理など）が施された合成樹脂シートが知られており、ロール状に巻かれて販売されている場合が多い。
【０００３】
この合成樹脂シートは、どんな処理が施されているかやその機能などを需要者に知らせるため、ロールの紙管の端部に説明書きのステッカーを貼着していた。
【０００４】
しかし、紙管の端部は小さなステッカーしか貼着できないため、需要者にステッカーに記載された内容が認識され難いという問題があった。
【０００５】
また、合成樹脂シートにどんな処理が施されているかやその機能などを需要者に知らせるため、ロールの陳列枠に内容を表示する方法が考えられる。
【０００６】
しかし、１つの陳列枠に通常色々な種類の合成樹脂シートのロールが配列されているので、記載された内容がどの合成樹脂シートに関するものであるのかが分かり難いという問題があった。
【０００７】
更に、ロール状のシートは販売時に必要とする数量を測定して裁断することが通常であるが、裁断する毎に測定しなければならないという作業性の低下が問題であり、また在庫管理をする際にもこのロール状のシートの残量を把握する必要がある点から、ロール状のシート自体に数量を付されることが望まれていた。
【０００８】
【発明が解決しようとする課題】
そこでこの発明は、施された処理の内容やその機能の説明、シートの数量や残量などが従来よりも容易に把握することができる合成樹脂シートを提供しようとするものである。
【０００９】
【課題を解決するための手段】
前記課題を解決するためこの発明では次のような技術的手段を講じている。
（１）この発明の表示が除去可能な合成樹脂シートは、特殊処理が施されており、顔料と水溶性樹脂とを含有する塗料により前記特殊処理の内容の説明又は／及びその機能の説明又は／及びシートを裁断する際にその長さを把握するための目盛り又は／及び在庫管理のためのシート長さの残量が表示されるとともに、前記表示は水拭きにより拭き取り可能としたことを特徴とする。
【００１０】
この合成樹脂シートは、特殊処理の内容の説明や数量等が表示されているので、これらの説明や数量等（例えばシート残量を示す目盛りなど）をシート自体から把握することができる。
【００１１】
ここで、特殊処理の内容の説明や数量等は、シート自体の表面や裏面、側面（シートの厚みが厚い場合）などに表示することができる。
【００１２】
また前記表示は、顔料と水溶性樹脂とを含有する塗料より成り水拭きにより拭き取り可能であるので、使用時には水拭きにより拭き取って消すことができる。
【００１３】
この表示が除去可能な合成樹脂シートの材質として、ポリ塩化ビニル樹脂、ポリプロピレン樹脂、ポリエチレン樹脂、ポリエステル樹脂、アクリル系樹脂などを例示することができる。なお、特殊処理の内容等の説明の表示をシートの裏面側に付す場合は、視認性の観点から合成樹脂シートが透明性を有するものとすることが好ましい。
【００１４】
前記特殊処理の内容として、抗菌処理、防カビ処理、防塵処理、防汚染処理、消臭処理、脱臭処理、撥水処理、帯電防止処理、静電除去処理、耐キズ処理、耐摩擦処理、防虫処理、防曇処理、防滑処理、艶出し処理、遠赤外線処理などを例示することができる。この処理は１種類の処理であっても２種類以上の処理であってもよく、また単層或いは多層の処理であってもよい。
【００１５】
前記塗料の水溶性樹脂として、ポリビニルアルコール樹脂、アクリル系樹脂、セルロース系樹脂などを例示することができる。
【００１６】
前記特殊処理の内容の説明の表示として、特殊処理面の存在、特殊処理の有する効能や機能、使用上の注意などを文字やイラストなどにして需要者等に分かりやすく示したものを例示することができる。
【００１７】
また前記数量の説明の表示として、購入時に合成樹脂シートを裁断する際にその長さを把握するための一定単位毎（例えばｃｍ単位やｍ単位）の「目盛り」や、在庫管理のための残量を付することなどを例示することができる。
【００１８】
前記特殊処理層や説明の表示を設ける手段として、グラビア印刷、オフセット印刷、シルクスクリーン印刷、フレキソ印刷などの印刷手法を例示することができる。
（２）前記の通り顔料と水溶性樹脂とを含有する塗料を用い、グラビア印刷、オフセット印刷、シルクスクリーン印刷、フレキソ印刷などの印刷手法により表示を行うことができる。
【００１９】
そして、例えば特殊処理層に対して前記印刷処理により設けた塗料の固着力により、印刷工程中に発生する摩擦などでも表示が除去されることがなく、塗料の粘度を適正範囲に調整することにより印刷作業性にも優れるものとなる。
【００２０】
【発明の実施の形態】
以下、この発明の実施の形態を図面を参照して説明する。
【００２１】
図１及び図２に示すように、この実施形態の表示が除去可能な合成樹脂シート１は透明性を有し、その表面に特殊処理が施されている。この合成樹脂シート１の材質として、ポリ塩化ビニル樹脂、ポリプロピレン樹脂、ポリエチレン樹脂、ポリエステル樹脂、アクリル系樹脂などを例示することができる。
【００２２】
合成樹脂シート１の表面には、帯電防止機能処理層、抗菌・防汚染機能処理層などの特殊機能処理層を順次積層させて多層とした特殊処理層をグラビア印刷法にて印刷している。
【００２３】
前記特殊処理層の表面に、顔料と水溶性樹脂とを含有する塗料により前記特殊処理の内容等の説明が表示２されると共に、前記表示２は水拭きにより拭き取り可能としている。
【００２４】
この塗料は水溶性樹脂５〜３０％、顔料５〜３０％、溶媒及び助剤４０〜９０％にて調製し、前記特殊処理の効能や機能を表した文字や図、数量等を表した目盛りを、グラビア印刷法やフレキソ印刷法にて印刷するようにしている。
【００２５】
この塗料の水溶性樹脂として、ポリビニルアルコール樹脂、アクリル系樹脂、セルロース系樹脂などを例示することができる。
【００２６】
水溶性樹脂の混合量は印刷手法や物性等により変化するが、グラビア印刷法やフレキソ印刷法においては約１０〜２０％の範囲が好ましい。この範囲とすると、印刷により設けた特殊処理層に対する塗料の固着力が担保され印刷工程中に発生する摩擦などでも表示２が除去されることがあまりないと共に、塗料の粘度も適正な範囲内であって印刷作業性に優れる。
【００２７】
顔料として、有機系のものや無機系のものを用いることができ、有彩色のものや無彩色のものを用いることができる。顔料の混合量は印刷手法や物性或いは表示２内容の役割（合成樹脂シート１のデザインの隠蔽性の程度）などにより変化するが、グラビア印刷法やフレキソ印刷法にて印刷する際は約１０〜２０％が望ましい。約３０％を越えるとデザインの模様の隠蔽性は向上するが、塗料の粘度が上昇し印刷作業性が低下する傾向がある。
【００２８】
助剤としては、界面活性剤やアルコールなどが望ましい。
【００２９】
図２に示すように、前記特殊処理の内容等の説明の表示２として、特殊処理面の存在（「帯電防止、抗菌・防汚染処理が施されています」など）、特殊処理の有する効能や機能、使用上の注意などを文字やイラストなどにして需要者等に分かりやすく示したものを例示することができる。例えば使用上の注意として、「説明書きは濡れふきんでお拭き取り下さい」等と表示２することもできる。
【００３０】
また図１に示すように、前記特殊処理の内容等の説明の表示２として、購入時に合成樹脂シート１を裁断する際にその長さを把握するための一定単位毎（例えばｃｍ単位やｍ単位）の「目盛り」を付することなどを例示することができる。このようにすると、ロール状３で陳列枠４に陳列される合成樹脂シート１は販売時に巻尺などを用いて必要な長さを測定する面倒な手間を解消することができる。
【００３１】
次に、この表示が除去可能な合成樹脂シート１の使用状態を説明する。
【００３２】
この合成樹脂シート１は、特殊処理の内容等の説明がその表面に表示２されているので、前記特殊処理の内容等の説明をシート面自体から把握することができ、施された処理の内容やその機能の説明が販売時に従来よりも分かりやすいという利点がある。つまり、この合成樹脂シート１の購入者はシートの有する効能や機能を容易に把握することができる。
【００３３】
また前記表示２は、顔料と水溶性樹脂とを含有する塗料より成り水拭きにより拭き取り可能であるので、使用時には水拭きにより拭き取って消すことができる。よって効能や機能を理解した需要者は、実際に使用する際には不必要となった説明の表示２を含水させたふきん５などで拭き取って容易に消すことができる。表示２を形成する塗料は、濡れふきん５の水分に溶解する。なお、合成樹脂シート１自体に模様（図示せず）を付す場合は水拭きでは落ちないようにするとよい。
【００３４】
すなわち、簡単に除去することが可能な印刷塗料を開発し、これを用いて合成樹脂シート１に施した特殊処理の効能や機能或いは目盛りなどを印刷することにより、購入の際に合成樹脂シート１の有する効能や機能を容易に把握することができる。また、効能や機能を把握した後、透明シートとして使用する際に不必要な説明の表示２は容易に消すことができる。
【００３５】
【実施例】
次に、本発明の構成をより具体的に説明する。
（実施例１）
透明性を有するポリ塩化ビニル樹脂製のシート（厚さ０．２５ｍｍ）の表面に、熱可塑性ウレタン樹脂を用いてアンカー処理層、その上に帯電防止機能処理層、及び抗菌・防汚染処理機能層をグラビア印刷法にて順次積層させ特殊機能処理層を構成した。
【００３６】
前記特殊機能処理層上に、水溶性樹脂２０％、白色顔料１０％、溶媒として水及び助剤の混合液を７０％にて調製した塗料を用いて、「帯電防止、抗菌・防汚染処理が施されています」という表示２をグラビア印刷法にて設けた。
（実施例２）
透明性を有するポリ塩化ビニル樹脂製のシート（厚さ１ｍｍ）の表面に、熱可塑性ウレタン樹脂を用いてアンカー処理層、その上に帯電防止機能処理層、及び抗菌・防汚染処理機能層をグラビア印刷法にて順次積層させ特殊機能処理層を構成した。
【００３７】
前記特殊機能処理層上に、水溶性樹脂２０％、白色顔料１５％、溶媒として水及び助剤の混合液を６５％にて調製した塗料を用いて、「帯電防止、抗菌・防汚染処理が施されています」という表示２、及び需要者に切り売り販売を行う際に有用となる１０ｃｍ毎の販売目盛りの表示２及び５０ｃｍ毎の線の表示２をフレキソ印刷法にて設けた。
【００３８】
実施例１，２の合成樹脂シート１は、例えばテーブルクロスや床材、窓貼りシート、壁紙、農業用シートとして利用することができる。
【００３９】
【発明の効果】
本発明は、上述のような構成であり、次のような効果を有する。
【００４０】
特殊処理の内容等の説明の表示をシート面自体から把握することができるので、施された処理の内容やその機能の説明が販売時に従来よりも分かりやすい表示が除去可能な合成樹脂シートを提供することができる。
【図面の簡単な説明】
【図１】この発明の表示が除去可能な合成樹脂シートの実施形態で販売時の陳列状態を説明する斜視図。
【図２】図１の表示が除去可能な合成樹脂シートの使用状態を説明する斜視図。
【符号の説明】
１  表示が除去可能な合成樹脂シート
２  表示
【図１】
0003728731.tif 000002
【図２】
0003728731.tif 000003